(57)【要約】【課題】カバー体を固定盤から取り外すことなくノズルの内部を容易に洗浄することが可能なエアゾール容器用吐出具を提供する。【解決手段】ノズル３０と、固定盤１０と、カバー体２０と、を有するエアゾール容器用吐出具１であって、ノズル３０が、接続筒部３１と、吐出筒部３３と、上方に開口する凹部空間３２ａを備えたベース部３２と、凹部空間３２ａを開閉可能な蓋体３５と、ステム２ｄよりも前方に設けられてカバー体２０に設けられた回動支持部２２ｅに回動自在に支持される回動軸３６と、ステム２ｄよりも後方に延びて設けられた押下げ操作部３８と、を有することを特徴とするエアゾール容器用吐出具１。【選択図】図１
2019209992.tif 000002
【特許請求の範囲】
【請求項１】
エアゾール容器のステムに接続されるノズルと、
前記エアゾール容器のマウンティングカップに固定される固定盤と、
前記固定盤に取り付けられて前記ノズルの少なくとも一部を覆うカバー体と、を有するエアゾール容器用吐出具であって、
前記ノズルが、
前記ステムに接続される接続筒部と、
内容物の吐出口を前端に備えた吐出筒部と、
上方に開口する凹部空間を備えて前記接続筒部と前記吐出筒部との間に設けられたベース部と、
前記ベース部に対してヒンジを中心として回動することで前記凹部空間を開閉可能な蓋体と、
前記ステムよりも前方に設けられ、前記カバー体に設けられた回動支持部に回動自在に支持される回動軸と、
前記ステムよりも後方に延びて設けられた押下げ操作部と、を有することを特徴とするエアゾール容器用吐出具。
【請求項２】
前記吐出筒部の下面に下方に向けて延びる支持体が一体に設けられ、前記支持体に前記回動軸が設けられている、請求項１に記載のエアゾール容器用吐出具。
【請求項３】
前記カバー体が前記ノズルの両側方を覆う一対の側方カバー部を有し、
前記回動支持部が一対の前記側方カバー部の内壁に設けられている、請求項１または２に記載のエアゾール容器用吐出具。
【請求項４】
一対の前記側方カバー部の内壁に、それぞれ上下方向に延びる案内溝が設けられ、前記案内溝の下端に前記回動支持部が設けられている、請求項３に記載のエアゾール容器用吐出具。
【請求項５】
前記押下げ操作部が、前記ベース部から後方に向けて延びる下側片と、前記蓋体から後方に向けて延びる上側片とを有し、前記下側片と前記上側片の後端が前記ヒンジを介して一体に連なっている、請求項１〜４の何れか１項に記載のエアゾール容器用吐出具。
【請求項６】
前記エアゾール容器が２本の前記ステムを有する、請求項１〜５の何れか１項に記載のエアゾール容器用吐出具。
【発明の詳細な説明】
【技術分野】
【０００１】
本発明は、エアゾール容器に装着して使用されるエアゾール容器用吐出具に関する。
【背景技術】
【０００２】
従来、内容物とともに加圧ガスを収容しておき、ステムを押し下げることで内容物を当該ステムから外部に吐出させるようにしたエアゾール容器が知られている。このようなエアゾール容器としては、１つの容器内に一の内容物を収容するとともに１本のステムを有するシングルタイプのもの、シングルタイプの容器を左右に並べて１組とした二連タイプのものの他、１つの容器内に２種類の内容物を別個に収容するとともにそれぞれの内容物に対応した２本のステムを備えたタイプのものがあるが、何れのタイプのものも、内容物を吐出させる操作を容易にするために、吐出具を装着して使用されるのが一般的である。
【０００３】
エアゾール用スパウトとも呼ばれるエアゾール容器用吐出具としては、ステムに着脱自在に取り付けられるノズルと、エアゾール容器のマウンティングカップに固定される固定盤と、固定盤に着脱自在に取り付けられてノズルの少なくとも一部を覆うカバー体とを有し、カバー体に設けられた操作レバーを押下げ操作することにより、ノズルとともにステムを押し下げて内容物をノズルから外部に向けて吐出させることができるようにしたものが知られている。
【０００４】
また、上記のようなエアゾール容器用吐出具として、例えば内容物として染毛剤を収容するエアゾール容器に用いられる場合において、使用後にノズルの内部を容易に洗浄することができるようにするために、ノズルに蓋体を設け、当該蓋体によりノズルの内部に設けられた凹部空間を開閉可能な構成としたものも知られている（例えば特許文献１参照）。
【先行技術文献】
【特許文献】
【０００５】
【特許文献１】特開２０１５−００９８３７号公報
【発明の概要】
【発明が解決しようとする課題】
【０００６】
しかし、上記従来のエアゾール容器用吐出具では、ノズルの上方は固定盤に取り付けられたカバー体で覆われており、カバー体が固定盤に取り付けられた状態では蓋体を開くことができない構成であるので、使用後にノズルの内部を洗浄するためには、カバー体を固定盤から取り外してからノズルの蓋体を開く必要があり、その作業が煩雑であるという問題点があった。
【０００７】
本発明は、このような問題点を解決することを課題とするものであり、その目的は、カバー体を固定盤から取り外すことなくノズルの内部を容易に洗浄することが可能なエアゾール容器用吐出具を提供することにある。
【課題を解決するための手段】
【０００８】
本発明のエアゾール容器用吐出具は、エアゾール容器のステムに接続されるノズルと、前記エアゾール容器のマウンティングカップに固定される固定盤と、前記固定盤に取り付けられて前記ノズルの少なくとも一部を覆うカバー体と、を有するエアゾール容器用吐出具であって、前記ノズルが、前記ステムに接続される接続筒部と、内容物の吐出口を前端に備えた吐出筒部と、上方に開口する凹部空間を備えて前記接続筒部と前記吐出筒部との間に設けられたベース部と、前記ベース部に対してヒンジを中心として回動することで前記凹部空間を開閉可能な蓋体と、前記ステムよりも前方に設けられ、前記カバー体に設けられた回動支持部に回動自在に支持される回動軸と、前記ステムよりも後方に延びて設けられた押下げ操作部と、を有することを特徴とする。
【０００９】
本発明のエアゾール容器用吐出具は、上記構成において、前記吐出筒部の下面に下方に向けて延びる支持体が一体に設けられ、前記支持体に前記回動軸が設けられているのが好ましい。
【００１０】
本発明のエアゾール容器用吐出具は、上記構成において、前記カバー体が前記ノズルの両側方を覆う一対の側方カバー部を有し、前記回動支持部が一対の前記側方カバー部の内壁に設けられているのが好ましい。
【００１１】
本発明のエアゾール容器用吐出具は、上記構成において、一対の前記側方カバー部の内壁に、それぞれ上下方向に延びる案内溝が設けられ、前記案内溝の下端に前記回動支持部が設けられているのが好ましい。
【００１２】
本発明のエアゾール容器用吐出具は、上記構成において、前記押下げ操作部が、前記ベース部から後方に向けて延びる下側片と、前記蓋体から後方に向けて延びる上側片とを有し、前記下側片と前記上側片の後端が前記ヒンジを介して一体に連なっているのが好ましい。
【００１３】
本発明のエアゾール容器用吐出具は、上記構成において、前記エアゾール容器が２本の前記ステムを有するのが好ましい。
【発明の効果】
【００１４】
本発明によれば、カバー体を固定盤から取り外すことなくノズルの内部を容易に洗浄することが可能なエアゾール容器用吐出具を提供することができる。
【図面の簡単な説明】
【００１５】
【図１】本発明の一実施の形態であるエアゾール容器用吐出具をエアゾール容器に装着した状態で示す側面視での断面図である。
【図２】図１に示すエアゾール容器用吐出具の平面図である。
【図３】図１に示すエアゾール容器用吐出具のエアゾール容器に装着された状態における正面視での半断面図である。
【図４】図１に示すエアゾール容器用吐出具の、ノズルを押下げ操作した状態における側面視での断面図である。
【図５】図１に示すエアゾール容器用吐出具の、ノズルの蓋体を開いた状態における側面視での断面図である。
【図６】図１に示すエアゾール容器用吐出具の、ノズルの蓋体を開いた状態における平面図である。
【発明を実施するための形態】
【００１６】
以下、図面を参照しつつ本発明をより具体的に例示説明する。
【００１７】
なお、本明細書、特許請求の範囲及び要約書においては、「前方」とは、ノズルの吐出口が向けられる側（図１における左側）を意味し、「後方」とは、「前方」の反対側を意味し、「側方」とは、前方側から見た場合（正面視）における左右両側を意味し、「上方」とは、エアゾール容器に対してノズルが位置する側（図１における上側）を意味し、「下方」とは、「上方」の反対側を意味するものとする。
【００１８】
図１において、符号１は、本発明の一実施の形態であるエアゾール容器用吐出具（以下、単に「吐出具」と称す場合もある）を示し、符号２は、吐出具１が取り付けられるエアゾール容器（以下、単に「容器」と称す場合もある）を示す。吐出具１は、固定盤１０、カバー体２０及びノズル３０を有している。
【００１９】
容器２は、例えば金属製や合成樹脂製となる有底筒状の容器本体２ａの口部に、金属製のマウンティングカップ２ｂを、その巻締め部２ｃにおいて巻き締めして固着したものであり、その内部には２種類の内容物が別個に収容されている。図３に示すように、容器２は、それぞれマウンティングカップ２ｂの平面視にてトラック形状となる上面から上方に向けて突出する２本のステム２ｄを備えている。これらの２本のステム２ｄは、それぞれ容器本体２ａの対応する内容物の収容空間に連通しており、容器本体２ａに向けて押し下げられると内容物を吐出する。
【００２０】
固定盤１０は樹脂製となっており、図１に示すように、中央部に２本のステム２ｄを露出させる開口１１を有する天壁１２を備えている。開口１１は、マウンティングカップ２ｂの上面に対応する形状（平面視でトラック形状）となっており、天壁１２の内縁に一体に設けられた内側環状壁１３がマウンティングカップ２ｂの上面を含むトラック形状の突起部分に嵌合されることで、固定盤１０はマウンティングカップ２ｂに回転方向に位置決めされた状態で取り付けられている。
【００２１】
天壁１２の外縁には、天壁１２から垂下する中間環状壁１４が一体に設けられている。中間環状壁１４は下方向に延在し、その下端は巻締め部２ｃの上面に当接している。中間環状壁１４の下端には径方向外側に向けて延在する上部フランジ１５が一体に設けられ、上部フランジ１５の下面には、巻締め部２ｃに全周に亘って接する内部環状壁１５ａが一体に設けられている。内部環状壁１５ａの内面には係止爪１５ｂが周方向に向けて間欠状に設けられており、係止爪１５ｂがマウンティングカップ２ｂの巻締め部２ｃの下端縁部分にアンダーカット係合することで、固定盤１０はマウンティングカップ２ｂに固定されている。なお、係止爪１５ｂは、巻締め部２ｃの全周に亘って延びる環状の形態としてもよい。
【００２２】
上部フランジ１５の外縁には、下方に向けて延在する外側環状壁１５ｃが一体に設けられており、外側環状壁１５ｃの下端からは径方向外側に向けて延在する下部フランジ１６が一体に設けられている。下部フランジ１６の外縁には、容器本体２ａの外周面と略同径の円筒状の外壁１６ａが一体に設けられている。
【００２３】
図３に示すように、固定盤１０の上部フランジ１５から下部フランジ１６に亘る部分には、上部フランジ１５の一部、外側環状壁１５ｃ及び下部フランジ１６の一部を切り欠く係止孔１７が設けられている。なお、係止孔１７は、固定盤１０の左側にも同様にして設けられている。
【００２４】
カバー体２０は樹脂製となっており、図１に示すように、固定盤１０に着脱自在に取り付けられ、ノズル３０の少なくとも一部を覆っている。カバー体２０は、固定部２１と一対の側方カバー部２２とを有している。
【００２５】
固定部２１は固定盤１０に固定された部分であり、外側環状壁１５ｃの外側を覆う環状の固定壁部２１ａを有している。図２に示すように、固定壁部２１ａの両側部には、それぞれ固定壁部２１ａの一部が上下方向に延びる一対のスリット（不図示）により区画されることで弾性板片２１ｂが設けられている。図３においては一方のみを示すが、それぞれの弾性板片２１ｂは、固定壁部２１ａよりも下方に突出しており、当該下方に突出した下端側部分は、その外周面に爪部２１ｃを備えるとともに径方向に弾性変形によって変位可能となっている。
【００２６】
カバー体２０は、それぞれの弾性板片２１ｂの下端が対応する係止孔１７に挿通され、それぞれの爪部２１ｃが下部フランジ１６の下面にアンダーカット係合することにより、固定盤１０に固定されている。一方、弾性板片２１ｂをカバー体２０の内側に向けて押し込むことにより、爪部２１ｃと係止孔１７との係合を解除させてカバー体２０を固定盤１０から取り外すことができる。このように、本実施の形態では、カバー体２０は固定盤１０に着脱可能に取り付けられている。
【００２７】
固定部２１は固定盤１０の天壁１２の上面に当接する頂壁２１ｄを備え、一対のステム２ｄは、頂壁２１ｄに設けられた開孔２１ｅを通して頂壁２１ｄの上方に突出している。
【００２８】
図３に示すように、一対の側方カバー部２２は、それぞれ固定部２１の上方に左右両側に分けて一体に連ねて設けられている。カバー体２０は、これら一対の側方カバー部２２により、ノズル３０の左右の両側方を覆っている。
【００２９】
図２に示すように、一対の側方カバー部２２は、それぞれ固定壁部２１ａと略同径の円弧状の外周壁２２ａ、ノズル３０に対向するとともに互いに平行に配置された平らな内壁２２ｂ及びノズル３０の上方で水平方向に延在する頂壁２２ｃを有する中空の形態を有している。
【００３０】
図１に示すように、一対の側方カバー部２２の内壁２２ｂのステム２ｄよりも前方側の部分は一対の内壁２２ｂの間隔を狭めるように突出しており、内壁２２ｂの当該突出した部分には、それぞれ案内溝２２ｄが設けられている。案内溝２２ｄは、ステム２ｄよりも前方側において上下方向の延び、その上端は側方カバー部２２の頂壁２２ｃに開放されている。また、案内溝２２ｄの下端には回動支持部２２ｅが設けられている。回動支持部２２ｅは、内壁２２ｂを貫通する円形の孔として構成されている。
【００３１】
図１においては一方のみを示すが、樹脂製となるノズル３０は一対の接続筒部３１を有しており、これらの接続筒部３１は対応するステム２ｄに緩く嵌め合わされて当該ステム２ｄに接続されている。すなわち、ノズル３０は接続筒部３１においてステム２ｄに接続されている。接続筒部３１は対応するステム２ｄに緩く嵌め合わされているので、ノズル３０はステム２ｄに対して前後方向に傾動することができる。
【００３２】
接続筒部３１の上方にはベース部３２が一体に設けられている。ベース部３２は箱状となっており、その内部は上方に開口する凹部空間３２ａとなっている。ベース部３２の底壁には、それぞれの接続筒部３１に対応した一対の入口孔３２ｂが設けられ、この入口孔３２ｂを通してステム２ｄから吐出された内容物が凹部空間３２ａの内部に流入することができるようになっている。なお、凹部空間３２ａの幅方向の中央部には隔壁３２ｃが設けられ、それぞれのステム２ｄから流入した２種類の内容物は凹部空間３２ａにおいては混合され難くされている。
【００３３】
図１に示すように、ベース部３２の前方側には吐出筒部３３が一体に設けられている。吐出筒部３３は断面が横長のトラック形状となる筒状に形成されており、その内側空間は凹部空間３２ａに連通されている。吐出筒部３３の前端は吐出口３３ａとなっており、それぞれのステム２ｄから凹部空間３２ａに流入した２種類の内容物は、吐出筒部３３の内部で混合されつつ吐出口３３ａから外部に吐出される。
【００３４】
ノズル３０は、ベース部３２に対してヒンジ３４を中心として回動可能な蓋体３５を有している。蓋体３５はベース部３２に対してヒンジ３４を中心として回動することで凹部空間３２ａを開閉することができる。蓋体３５の下面には環状のシール筒３５ａが一体に設けられており、このシール筒３５ａがベース部３２の開口の内周縁に嵌合するとともにアンダーカット係合することで蓋体３５は凹部空間３２ａを閉塞している。また、蓋体３５は、シール筒３５ａのベース部３２に対するアンダーカット係合を解除させ、ヒンジ３４が折り曲がるように弾性変形することで開くことができる。蓋体３５を開くことで、ベース部３２の凹部空間３２ａを外部に開放させることができ、凹部空間３２ａを外部に開放させることで、使用後に、ノズル３０の内部すなわち凹部空間３２ａ、吐出筒部３３の内部及び入口孔３２ｂを容易に洗浄することができる。なお、蓋体３５の前端には、蓋体３５の開閉操作を容易に行い得るようにするための摘み片３５ｂが一体に設けられている。
【００３５】
図１に示すように、ノズル３０には回動支持部２２ｅに回動自在に支持される回動軸３６が設けられている。本実施の形態では、ノズル３０の吐出筒部３３の下面には当該下面から下方に向けて延びる支持体３７が一体に設けられており、この支持体３７の下端の両側方部分に回動軸３６が一体に設けられている。回動軸３６は支持体３７から左右方向に向けて突出しており、ステム２ｄよりも前方であって当該ステム２ｄと同等の高さにおいて一対の側方カバー部２２の内壁２２ｂに設けられた回動支持部２２ｅに嵌め込まれて回動支持部２２ｅに回動自在に支持されている。回動軸３６が回動支持部２２ｅに回動自在に支持されることで、ノズル３０は、ベース部３２がステム２ｄとともに上下方向に変位することができるように回動軸３６を中心として回動することができる。
【００３６】
なお、図示する場合では、支持体３７は平面視で断面Ｈ形となる形状に形成されているが、回動軸３６を支持することができれば、その形状は種々変更可能である。
【００３７】
本実施の形態では、側方カバー部２２の内壁２２ｂに案内溝２２ｄを設け、この案内溝２２ｄの下端に回動支持部２２ｅを設けているので、ノズル３０をステム２ｄに取り付ける際、回動軸３６を頂壁２２ｃの側から案内溝２２ｄに挿入して案内溝２２ｄに沿って移動させて、ノズル３０の接続筒部３１をステム２ｄに嵌合させつつ回動軸３６を回動支持部２２ｅに容易に嵌め込むことができる。
【００３８】
また、吐出筒部３３の下面に下方に向けて延びる支持体３７を一体に設け、この支持体３７の下端に回動軸３６を設けるようにしたので、回動軸３６をステム２ｄと同等の高さにおいて回動支持部２２ｅに回動自在に支持させることができる。これにより、ノズル３０を、そのベース部３２がステム２ｄとともに上下方向に変位するように効率良く回動させることができる。
【００３９】
図１に示すように、ノズル３０にはベース部３２からステム２ｄよりも後方にまで延びる押下げ操作部３８が一体に設けられている。押下げ操作部３８は、操作者が指を掛けて押下げ操作部３８を押下げ操作することができる程度の大きさないし長さを有している。
【００４０】
本実施の形態では、ベース部３２の後端には当該ベース部３２から後方に向けて延びる板状の下側片３８ａが一体に設けられ、蓋体３５の後端には当該蓋体３５から方向に向けて延びる板状の上側片３８ｂが一体に設けられている。上側片３８ｂの下面には補強リブ３８ｃが一体に設けられ、当該補強リブ３８ｃが下側片３８ａの上面に当接するように、下側片３８ａと上側片３８ｂとが重ねて配置されている。下側片３８ａの後端と上側片３８ｂの後端とは、蓋体３５をベース部３２に対して回動自在とするヒンジ３４を介して一体に連結されており、蓋体３５は上側片３８ｂとともに回動して開かれるようになっている。このような構成により、ノズル３０にベース部３２から後方に向けて延びる押下げ操作部３８を樹脂材料の射出成形によって一体に設けることができる。
【００４１】
押下げ操作部３８はステム２ｄよりも後方に延びており、また、回動軸３６はステム２ｄよりも前方においてカバー体２０の回動支持部２２ｅに回動自在に支持されているので、図４に示すように、押下げ操作部３８を押下げ操作することにより、ノズル３０のベース部３２を下方に移動させて一対のステム２ｄを押し下げることができる。このとき、接続筒部３１は対応するステム２ｄに緩く嵌め合わされているので、ノズル３０をステム２ｄに対して前後方向に傾動させつつ容易に押し下げることができる。
【００４２】
一対のステム２ｄが容器２の内部に向けて押し下げられると、それぞれのステム２ｄから内容物が吐出される。それぞれのステム２ｄから吐出された２種類の内容物は、ノズル３０の凹部空間３２ａを介して吐出筒部３３に流入し、吐出筒部３３において互いに混合されつつ吐出口３３ａから外部に吐出される。
【００４３】
このように、本実施の形態の吐出具１では、ステム２ｄよりも前方においてカバー体２０に設けられた回動支持部２２ｅに回動自在に支持される回動軸３６と、ステム２ｄよりも後方に延びる押下げ操作部３８とをノズル３０に設けたので、カバー体２０としてノズル３０を押下げ操作するための操作レバーを備えたものを用いることなく、ノズル３０に設けられた押下げ操作部３８を押下げ操作することで、回動軸３６を中心としてノズル３０を回動させ、これによりベース部３２とともにステム２ｄを押し下げて内容物を吐出させることができる。したがって、カバー体２０として、ノズル３０の上方を開放した構成のものを採用することができるので、図５、図６に示すように、カバー体２０を固定盤１０から取り外すことなく、ノズル３０の蓋体３５を開くことができる。よって、内容物を吐出させた使用後に、カバー体２０を固定盤１０から取り外すことなく蓋体３５を開いてベース部３２の凹部空間３２ａを外部に開放し、ノズル３０の内部すなわち凹部空間３２ａ、吐出筒部３３の内部及び入口孔３２ｂを容易に洗浄することができる。
【００４４】
特に、２本のステム２ｄを有する容器２では、それぞれのステム２ｄから吐出される２種類の内容物として、混合されると硬化し易くなる性質のものが用いられる場合が多いが、本実施の形態の吐出具１では、このような２本のステム２ｄを有する容器２に用いられても、上記の通り、カバー体２０を固定盤１０から取り外すことなく蓋体３５を開いてノズル３０の内部を容易に洗浄することができるので、ノズル３０の内部が硬化した内容物で詰まることを未然に防止することができる。
【００４５】
また、カバー体２０として、ノズル３０の上方を開放した構成のものを採用することができることから、カバー体２０を固定盤１０から取り外すことなく、回動軸３６を回動支持部２２ｅから離脱させてノズル３０を上方に引き上げるだけの簡単な操作でノズル３０をステム２ｄから容易に取り外すことができる。ノズル３０をステム２ｄから取り外してからノズル３０の蓋体３５を開いてノズル３０の内部を洗浄することにより、当該洗浄をさらに容易に行うことができる。洗浄後のノズル３０は、カバー体２０を固定盤１０から取り外すことなく、回動軸３６を案内溝２２ｄに係合させてノズル３０を下方に向けて押し込み、接続筒部３１をステム２ｄに接続するとともに回動軸３６を回動支持部２２ｅに係合させることで、内容物の吐出操作が可能な状態（図１に示す状態）に容易に戻すことができる。
【００４６】
また、本実施の形態の吐出具１では、カバー体２０に一対の側方カバー部２２を設け、これらの内壁２２ｂに回動支持部２２ｅを設けるようにしたので、ノズル３０の両側方を一対の側方カバー部２２で覆って吐出具１の美観を高めつつ、ノズル３０に一体に設けた押下げ操作部３８の押下げ操作による内容物の吐出を行い得る構成とすることができる。
【００４７】
さらに、本実施の形態の吐出具１では、押下げ操作部３８を、ベース部３２から後方に向けて延びる下側片３８ａと、蓋体３５から後方に向けて延びる上側片３８ｂとを、その後端においてヒンジ３４を介して一体に連ねた構成のものとしたので、上記構成を有するノズル３０を、蓋体３５を１８０度開いた状態の形状に、樹脂材料の射出成形により容易に形成することができる。
【００４８】
本発明は前記実施の形態に限定されるものではなく、その要旨を逸脱しない範囲で種々変更可能であることはいうまでもない。
【００４９】
例えば前記実施の形態では、本願発明を、２本のステム２ｄを有する容器２に装着される吐出具１に適用した場合を示したが、例えばシングルタイプの容器や二連式タイプの容器に装着される吐出具に本願発明を適用してもよい。
【符号の説明】
【００５０】
１    エアゾール容器用吐出具
２    エアゾール容器
２ａ  容器本体
２ｂ  マウンティングカップ
２ｃ  巻締め部
２ｄ  ステム
１０    固定盤
１１    開口
１２    天壁
１３    内側環状壁
１４    中間環状壁
１５    上部フランジ
１５ａ  内部環状壁
１５ｂ  係止爪
１５ｃ  外側環状壁
１６    下部フランジ
１６ａ  外壁
１７    係止孔
２０    カバー体
２１    固定部
２１ａ  固定壁部
２１ｂ  弾性板片
２１ｃ  爪部
２１ｄ  頂壁
２１ｅ  開孔
２２    側方カバー部
２２ａ  外周壁
２２ｂ  内壁
２２ｃ  頂壁
２２ｄ  案内溝
２２ｅ  回動支持部
３０    ノズル
３１    接続筒部
３２    ベース部
３２ａ  凹部空間
３２ｂ  入口孔
３２ｃ  隔壁
３３    吐出筒部
３３ａ  吐出口
３４    ヒンジ
３５    蓋体
３５ａ  シール筒
３５ｂ  摘み片
３６    回動軸
３７    支持体
３８    押下げ操作部
３８ａ  下側片
３８ｂ  上側片
【図１】
2019209992.tif 000003
【図２】
2019209992.tif 000004
【図３】
2019209992.tif 000005
【図４】
2019209992.tif 000006
【図５】
2019209992.tif 000007
【図６】
2019209992.tif 000008